Podtech/llm-jp-corpus-v4-ja_patent huggingface dataset:
【手続補正書】
【提出日】平成17年7月13日(2005.7.13)
【手続補正１】
【補正対象書類名】明細書
【補正対象項目名】特許請求の範囲
【補正方法】変更
【補正の内容】
【特許請求の範囲】
【請求項１】
前端にある第１段から後端にある最終段までの多数の段およびディフーザを持ち、各段が周辺リム及び該周辺リムに固定された多数の羽根を持つ羽根円板を含む圧縮機と、該圧縮機からの吐出空気を燃焼の為に利用する複数個の燃焼器で構成された燃焼装置と、該燃焼装置からの燃焼ガスによって駆動される多数のタービン段とを有するガスタービンにおいて、
前記ディフーザより下流側且つ前記燃焼器より上流側で、燃焼装置から抽出された圧縮機吐出空気を用いて前記圧縮機の最終段の周辺リム（Ａ）に冷却空気を供給する手段を有するガスタービン。
【請求項２】
前記燃焼装置からの抽出後、前記冷却空気を冷却する様に構成された熱交換器を有する請求項１記載のガスタービン。
【請求項３】
前記冷却空気を、イ）前記圧縮機の最終段の周辺リムを冷却する為、並びにロ）前記圧縮機の回転子中孔を冷却する為の別々の部分に分割する分割手段を有する請求項１記載のガスタービン。
【請求項４】
前記分割手段が、環状圧縮機吐出圧力封じを含み、該圧力封じが前記環状圧縮機後側空所を上側空所及び下側空所に分割し、前記冷却空気を供給する手段が、前記冷却空気を前記上側空所に送込む請求項３記載のガスタービン。
【請求項５】
前記環状圧縮機吐出圧力封じが、冷却空気の予定量が前記上側空所から前記下側空所へ通過出来る様にするじゃま封じ部分を含む請求項４記載のガスタービン。
【請求項６】
前端から後端まで延在する複数個の羽根円板、リムおよびディフーザを含む圧縮機と、複数個の燃焼器と、該燃焼器を取り囲んでいて、前記圧縮機の下流からの空気を燃焼器に差し向ける様に配置されたケーシングと、前記燃焼器からの燃焼ガスによって駆動される多数の段を含むタービンとを有し、冷却空気を利用して圧縮機の回転子を冷却するガスタービンにおいて、
前記ディフーザの下流からの圧縮機吐出空気を冷却空気として、圧縮機の後端にある前記複数個の羽根円板及びリムに供給するため、前記ケーシング内に抽出ポート及び配管を有するガスタービン。
【請求項７】
前記配管が、前記圧縮機内の通路と連通して、前記冷却空気を前記圧縮機の羽根円板及びリムに供給する請求項６記載のガスタービン。
【請求項８】
前記抽出ポート及び前記圧縮機の間にある前記配管内に熱交換器が配置されていて、前記圧縮機吐出空気を冷却する請求項６記載のガスタービン。
【請求項９】
回転子及び圧縮機の前端から後端まで延在する複数個の羽根円板、リムおよびディフーザを含む圧縮機と、該圧縮機の下流のケーシングによって取り囲まれていて前記圧縮機からの燃焼用空気を受取るように配置された複数個の燃焼器と、該複数個の燃焼器からの燃焼ガスによって駆動される多数の段を含むタービンとを有し、冷却空気を利用して圧縮機の回転子を冷却するガスタービンで、少なくとも最後の羽根円板及びリムを予定の温度に保つ方法において、
前記ディフーザの下流から冷却空気を抽出し、該冷却空気を、前記圧縮機の空気の流れる方向と向流で前記圧縮機に導入し、前記最後の羽根円板及びリムを予定の温度に冷却する工程を含む方法。
【請求項１０】
前記予定の温度が約４４１°Ｃ（８２５°Ｆ）である請求項９記載の方法。
【手続補正書】
【提出日】平成17年8月2日(2005.8.2)
【手続補正１】
【補正対象書類名】明細書
【補正対象項目名】特許請求の範囲
【補正方法】変更
【補正の内容】
【特許請求の範囲】
【請求項１】
複合サイクルシステムの４段ガスタービンを運転する方法において、
多段圧縮機を用いて入口空気を圧縮する工程と、
該圧縮機から吐出された略全部の空気を燃焼装置に差し向けて気体状燃焼生成物を発生する工程と、
該気体状燃焼生成物をタービンに差し向け、前記気体状燃焼生成物を排出する工程と
を含み、
第１段及び第２段が蒸気冷却であり、第３段が空冷であり、且つ第４段が無冷却である方法。
【請求項２】
圧縮機を通る空気流が約８４．３６Ｋｇ/ｃｍ２ − １１２．４８ｋｇ/ｃｍ２（１，２００−１，６００ ｐｐｓ）である請求項１記載の方法。
【請求項３】
タービン点火温度が約１４２１−約１４３９°Ｃ（２５９０−２６２２°Ｆ）である請求項１又は請求項２記載の方法。
【請求項４】
前記燃焼装置から吐出される気体状燃焼生成物が約１４５４−約１５３８°Ｃ（２６５０−２８００°Ｆ）でタービンの第１段に入る請求項１、請求項２又は請求項３記載の方法。
【請求項５】
気体状燃焼生成物がタービンから約５６０−約６１５°Ｃ（１０４０−１１４０°Ｆ）で排出される請求項１ないし請求項３のいずれか一項記載の方法。
【請求項６】
気体状燃焼生成物の排気マッハ数が約０．６５である請求項１ないし請求項５のいずれか一項記載の方法。
【手続補正書】
【提出日】平成17年2月15日(2005.2.15)
【手続補正１】
【補正対象書類名】明細書
【補正対象項目名】特許請求の範囲
【補正方法】変更
【補正の内容】
【特許請求の範囲】
【請求項１】
凹状または凸状の複数の反射形状が配置された反射体の製造方法であって、枠の内側に、前記反射形状が食み出さないようにランダムに配置された単位セルを複数個、隙間を開けて前記反射体の反射面を覆うように配置する第１の工程と、前記枠の内部の前記反射形状と重ならないように、前記隙間に中心のある前記反射形状を追加する第２の工程とを有する反射体の製造方法。
【請求項２】
請求項１において、前記第２の工程では、前記反射形状をランダムに配置する反射体の製造方法。
【請求項３】
請求項１において、前記第１の工程では、前記単位セルを規則的に配置する反射体の製造方法。
【請求項４】
請求項１において、前記第１の工程では、前記単位セルをランダムに並べる反射体の製造方法。
【請求項５】
請求項１において、前記第１の工程では、前記反射形状の配置の異なる複数種類の前記単位セルを配置する反射体の製造方法。
【請求項６】
請求項１において、前記単位セルは、当該反射体により照明する表示体の画素単位と同じ、または小さく形成されている反射体の製造方法。
【請求項７】
請求項１において、前記枠は、多角形である反射体の製造方法。
【請求項８】
請求項１において、前記枠は、円形である反射体の製造方法。
【請求項９】
請求項１において、前記複数の単位セルは互いに枠の形状が異なる反射体の製造方法。
【請求項１０】
反射体の反射面に凹状または凸状の複数の反射形状を配置するプログラムであって、枠の内側に、前記反射形状が食み出さないようにランダムに配置された単位セルを複数個、隙間を開けて前記反射面を覆うように配置する第１の工程と、前記枠の内部の前記反射形状と重ならないように、前記隙間に中心のある前記反射形状をランダムに追加する第２の工程とを実行する命令を有するプログラム。
【請求項１１】
反射面に凹状または凸状の複数の反射形状が配置された反射体であって、複数の限られた前記反射形状がランダムに配置された第１のパターンが複数個、間隔を開けて前記反射体の反射面に配置されており、前記第１のパターンの前記反射形状が食み出さないように囲む仮想枠を設定したときに、前記仮想枠同士の間に中心がある複数の前記反射形状が、前記第１のパターンの反射形状と重ならないようにランダムに配置された第２のパターンをさらに有する反射体。
【請求項１２】
請求項１１において、前記第１のパターンが規則的に配置されている反射体。
【請求項１３】
請求項１１において、前記第１のパターンがランダムに配置されている反射体。
【請求項１４】
請求項１に記載の反射体と、この反射体が裏面に配置された表示体とを有する表示装置。
【手続補正書】
【提出日】平成17年2月18日(2005.2.18)
【手続補正１】
【補正対象書類名】明細書
【補正対象項目名】特許請求の範囲
【補正方法】変更
【補正の内容】
【特許請求の範囲】
【請求項１】
凹状または凸状の複数の反射形状が枠の内側に配置された単位セルを有し、複数の前記単位セルが隣接して配置されている反射体であって、前記単位セルは、前記反射形状が全て前記枠の内側に入る第１の反射形状群と、前記反射形状の一部が前記枠から食み出す第２の反射形状群とを備えており、前記第２の反射形状群の反射形状は、隣接して配置された他の前記単位セルの前記第２の反射形状群の反射形状に連続して繋がるように配置されている反射体。
【請求項２】
請求項１において、前記第１の反射形状群の反射形状は前記枠の内側にランダムに配置されている反射体。
【請求項３】
請求項１において、前記第１の反射形状群の反射形状の配置は、隣接する前記単位セル毎に異なる反射体。
【請求項４】
請求項１において、前記枠は、前記単位セルを配置したときに対峙する２つの辺を備えており、これら２つの辺から食み出す前記第２の反射形状群の反射形状は、これら２つの辺を境にして連続して繋がる反射体。
【請求項５】
請求項１において、前記枠は多角形であり、前記枠の各辺から食み出した前記第２の反射形状群の反射形状により前記枠の各辺を対称軸とする同一のパターンが形成されている反射体。
【請求項６】
請求項５において、同一の前記第１の反射形状群を備えた前記単位セルが異なる角度で配置されている反射体。
【請求項７】
請求項１において、前記枠の形状は、多角形である反射体。
【請求項８】
請求項１において、前記枠の形状は、正方形である反射体。
【請求項９】
請求項１において、前記枠の形状は分割円である反射体。
【請求項１０】
請求項１において、前記第１および第２の反射形状群の各反射形状は互いに重ならずに配置されている反射体。
【請求項１１】
凹状または凸状の複数の反射形状が配置された反射体の製造方法であって、枠を備えた単位セルの内側に、前記反射形状の全体が前記枠の内側に入るように第１の反射形状群を配置する第１の工程と、前記反射形状の一部が前記枠から食み出すように第２の反射形状群を配置し、当該第２の反射形状群の反射形状と、隣接して配置される他の前記単位セルの前記第２の反射形状群の反射形状とが連続して繋がるようにする第２の工程と、複数の前記単位セルを並べて当該反射体を覆う第３の工程とを有する反射体の製造方法。
【請求項１２】
凹状または凸状の複数の反射形状が枠の内側に配置された複数の単位セルを、隣接して配置し反射体を形成するための前記単位セルを生成するプログラムであって、前記反射形状の全体が前記枠の内側に入るように第１の反射形状群を配置する第１の工程と、前記反射形状の一部が前記枠から食み出すように第２の反射形状群を配置し、当該第２の反射形状群の反射形状と、隣接して配置される他の前記単位セルの前記第２の反射形状群の反射形状とが連続して繋がるようにする第２の工程とを実行する命令を有するプログラム。
【請求項１３】
請求項１２において、前記枠は一辺の長さがＬの方形で、前記反射形状は開口が半径Ｃの円であり、前記第１の工程では、前記枠の内部に該枠と同心の一辺の長さがＬ−２Ｃの第１の仮想枠を設定し、その第１の仮想枠の内部に前記反射形状の中心が入るものを前記第１の反射形状群の反射形状として配置し、前記第２の工程では、前記枠の外に該枠と同心の一辺の長さがＬ＋２Ｃの第２の仮想枠を設定し、前記第１の仮想枠と前記枠との間に前記反射形状の中心が入るものを前記第２の反射形状群の反射形状とし、前記第１の仮想枠と前記第２の仮想枠との間の共役な位置に前記反射形状を配置するプログラム。
【請求項１４】
請求項１３において、前記共役な位置は、線対称な位置であるプログラム。
【請求項１５】
請求項１３において、前記共役な位置は、点対称な位置であるプログラム。
【請求項１６】
請求項１３において、前記共役な位置は、４回軸の回転対称な位置であるプログラム。
【請求項１７】
請求項１に記載の反射体と、この反射体が裏面に配置された表示体とを有する表示装置。
【手続補正書】
【提出日】平成16年9月22日(2004.9.22)
【手続補正１】
【補正対象書類名】明細書
【補正対象項目名】特許請求の範囲
【補正方法】変更
【補正の内容】
【特許請求の範囲】
【請求項１】
少なくとも平板型光導波路を有する平板型光基板と、レンズ層、アイソレータ層、またはフィルタ層を有する平板型光基板とが積層されて構成された立体光導波路。
【請求項２】
前記平板型導波路、および前記レンズ層、アイソレータ層、またはフィルタ層が、成型ガラスに一体的に成型された平板型光基板である、請求項１に記載の立体光導波路。
【請求項３】
前記平板型光導波路に反射面が成型され、光が前記レンズ層、前記アイソレータ層、または前記フィルタ層を通る、請求項１または２に記載の立体光導波路。
【請求項４】
さらに受光素子、または発光素子を備えた、請求項３に記載の立体光導波路。
【請求項５】
前記平板型光基板どうしは、少なくとも２つの平板型光基板に一体成型されたマーカで位置決めされた、請求項１〜４のいずれかに記載の立体光導波路。
【請求項６】
平板型光導波路を有する複数の平板型光基板が積層されて構成された立体光導波路を製造する方法であって、前記少なくとも二つの平板型光基板を成型する際、マーカも同時にそれぞれ成型しておき、前記平板型光基板を前記マーカを利用して位置決めすることにより積層する、立体光導波路の製造方法。
【請求項７】
前記マーカは凹または凸形状であって、前記平板型光基板を積層する前に、光を前記マーカに照射させて、光を前記マーカに反射または透過させることによって前記平板型光基板を位置決めする、請求項６に記載の立体光導波路の製造方法。
【請求項８】
前記マーカの底面が斜め、散乱面、またはレンズ面に成型されている、請求項７に記載の立体光導波路の製造方法。
【請求項９】
電気入力端子と、
前記電気入力端子を有した発光素子と、
前記発光素子から発せられた光を伝達する請求項３に記載の立体光導波路と、
前記立体光導波路を伝達された光を出力する光出力端子と、を備える送信用光モジュール。
【請求項１０】
光入力端子と、
前記光入力端子を有した請求項３に記載の立体光導波路と、
前記立体光導波路を介して伝達された光を受光する受光素子と、
前記受光素子に接続された電気出力端子と、を備える受信用光モジュール。
【請求項１１】
電気入力端子と、
少なくとも平板型導波路を有する平板型光基板、アイソレータを有する平板型光基板、および波長多重フィルタを有する平板型光基板、が積層されて構成された立体光導波路と、
前記電気入力端子を有し前記立体光導波路に接続された発光素子と、
前記立体光導波路に接続された受光素子と、
前記受光素子に接続された電気出力端子と、
前記立体光導波路に接続された光入出力端子と、を備え、
前記電気入力端子から入力された電気信号を光信号に変換して前記光入出力端子から送信し、前記光入出力端子で受信した光信号を電気信号に変換して前記電気出力端子に出力する、送受信用光モジュール。
【請求項１２】
請求項９に記載の送信用光モジュールと、
前記送信用光モジュールに接続される光ファイバケーブルと、
前記光ファイバケーブルに接続される請求項１０に記載の受信用光モジュールと、を備える送受信用光伝送システム。
【請求項１３】
請求項１１に記載の送受信用光モジュールと、
前記送受信用光モジュールに接続される光ファイバケーブルと、を備える光送受信用光伝送システム。
【手続補正２】
【補正対象書類名】明細書
【補正対象項目名】００１２
【補正方法】変更
【補正の内容】
【００１２】
第７の本発明（請求項７に対応）は、前記マーカは凹または凸形状であって、前記平板型光基板を積層する前に、光を前記マーカに照射させて、光を前記マーカに反射または透過させることによって前記平板型光基板を位置決めする、第６の本発明の立体光導波路の製造方法である。
【手続補正３】
【補正対象書類名】明細書
【補正対象項目名】００５２
【補正方法】変更
【補正の内容】
【００５２】
例えば、受光装置１０６をレンズ基板３の上方、および導波路基板１とレンズ基板３の側方に配置することにより、図１２に示す場合と同様に各基板の水平方向と上下方向を同時に位置決めすることができる。また、受光装置１０６を導波路基板１の下方、および導波路基板１とレンズ基板３の側方に配置することにより、同様に各基板の水平方向と上下方向を同時に位置決めすることができる。図１７（ｂ）はレンズ基板３の上方にある受光装置１０６に映る像を示し、像１２２はレンズ基板３に成型されたマーカ１０１に対応し、像１２３は導波路基板１に成型されたマーカ１０１に対応する。図１７（ｃ）は、レンズ基板３と導波路基板１の側方に配置された受光装置１０６に映る像を示し、像１２４は、レンズ基板３に成型されたマーカ１０１に対応し、像１２５は、導波路基板１に成型されたマーカ１０１に対応する。図１７（ｄ）は、導波路基板１の下方に設置された受光装置１０６に映る像を示し、像１２６は、レンズ基板３に成型されたマーカ１０１に対応し、像１２７は、導波路基板１に成型されたマーカ１０１に対応する。
【手続補正書】
【提出日】平成16年9月29日(2004.9.29)
【手続補正１】
【補正対象書類名】明細書
【補正対象項目名】特許請求の範囲
【補正方法】変更
【補正の内容】
【特許請求の範囲】
【請求項１】
基板面上の光が通過する領域を複数の小領域に分割し、各小領域に薄膜を施して通過光に位相差を付与して、ローパス効果を得るとともに、該各小領域間の位相差をθ、該各小領域を通過する光の主波長をλとするとき、
λ／４≦θ≦３λ／４
を満足することを特徴とする光学的ローパスフィルタ。
【請求項２】
前記光学的ローパスフィルタは所定ピッチの画素を有する撮像素子により撮像を行う撮像光学系の瞳又はその近傍に配置されるものであることを特徴とする請求項１の光学的ローパスフィルタ。
【請求項３】
前記基板面は平面又は曲率を有した面であることを特徴とする請求項１又は２の光学的ローパスフィルタ。
【請求項４】
所定ピッチの画素を有する撮像素子と、
該撮像素子に像を形成する撮像光学系と、
該撮像光学系の瞳又はその近傍に配置した光学的ローパスフィルタとを有する光学機器において、
該光学的ローパスフィルタは、
基板面上の光が通過する領域を複数の小領域に分割し、各小領域に薄膜を施して通過光に位相差を付与して、ローパス効果を得るとともに、該各小領域間の位相差をθ、該各小領域を通過する光の主波長をλとするとき、
λ／４≦θ≦３λ／４
を満足することを特徴とする光学機器。
【請求項５】
前記光学的ローパスフィルタは、屈折作用を有することを特徴とする請求項４の光学機器。
【請求項６】
前記光学的ローパスフィルタは、前記撮像光学系の瞳又はその近傍の曲率を有した面に設けられていることを特徴とする請求項４又は５の光学機器。
【手続補正２】
【補正対象書類名】明細書
【補正対象項目名】００１０
【補正方法】変更
【補正の内容】
【００１０】
請求項４の発明の光学機器は所定ピッチの画素を有する撮像素子と、
該撮像素子に像を形成する撮像光学系と、
該撮像光学系の瞳又はその近傍に配置した光学的ローパスフィルタとを有する光学機器において、
該光学的ローパスフィルタは、
基板面上の光が通過する領域を複数の小領域に分割し、各小領域に薄膜を施して通過光に位相差を付与して、ローパス効果を得るとともに、該各小領域間の位相差をθ、該各小領域を通過する光の主波長をλとするとき、
λ／４≦θ≦３λ／４
を満足することを特徴としている。
【手続補正書】
【提出日】平成17年3月4日(2005.3.4)
【手続補正１】
【補正対象書類名】明細書
【補正対象項目名】特許請求の範囲
【補正方法】変更
【補正の内容】
【特許請求の範囲】
【請求項１】
対話相手の発話を音声認識する音声認識手段と、
それぞれ上記音声認識手段の認識結果に基づき、別個の応答生成ルールに従って、上記対話相手の上記発話に対する応答を生成する複数の応答生成手段と、
各上記応答生成手段によりそれぞれ生成された上記応答の中から１つの上記応答を、所定の評価関数を用いた評価結果に基づいて選択する選択手段と、
上記選択手段により選択された上記応答を外部に音声出力する音声出力手段と
を具えることを特徴とする対話処理装置。
【請求項２】
上記複数の応答生成手段のうちの少なくとも１つの上記応答生成手段が、上記対話相手の上記発話の内容に拘わりなく、必ず上記応答を生成する
ことを特徴とする請求項１に記載の対話処理装置。
【請求項３】
上記選択手段は、
各上記応答生成手段に対してそれぞれ予め設定された出力割合と、各上記応答生成手段の現実の出力割合とに基づいて、各上記応答生成手段によりそれぞれ生成された上記応答の中から１つの応答を選択する
ことを特徴とする請求項１に記載の対話処理装置。
【請求項４】
上記選択手段は、
上記複数の応答生成手段のうちの特定の上記応答生成手段が上記応答を生成したときには、当該応答を優先的に選択する
ことを特徴とする請求項１に記載の対話処理装置。
【請求項５】
上記選択手段は、
上記対話相手ごとに上記評価関数を変更する
ことを特徴とする請求項１に記載の対話処理装置。
【請求項６】
対話相手の発話を音声認識する第１のステップと、
それぞれ上記認識結果に基づき、それぞれ別個の応答生成ルールに従って、上記対話相手の上記発話に対する複数の応答を生成する第２のステップと、
生成された各上記応答の中から１つの上記応答を所定の評価関数を用いた評価結果に基づいて選択する第３のステップと、
選択した上記応答を外部に音声出力する第４のステップと
を具えることを特徴とする対話処理方法。
【請求項７】
対話相手の発話を音声認識する音声認識手段と、
それぞれ上記音声認識手段の認識結果に基づき、別個の応答生成ルールに従って、上記対話相手の上記発話に対する応答を生成する複数の応答生成手段と、
各上記応答生成手段によりそれぞれ生成された各上記応答の中から１つの上記応答を所定の評価関数を用いた評価結果に基づいて選択する選択手段と、
上記選択手段により選択された上記応答を外部に音声出力する音声出力手段と
を具えることを特徴とするロボット装置。
【手続補正書】
【提出日】平成17年2月22日(2005.2.22)
【手続補正１】
【補正対象書類名】明細書
【補正対象項目名】発明の名称
【補正方法】変更
【補正の内容】
【発明の名称】液晶表示装置及びその作製方法
【手続補正２】
【補正対象書類名】明細書
【補正対象項目名】特許請求の範囲
【補正方法】変更
【補正の内容】
【特許請求の範囲】
【請求項１】
基板上の凹凸形状を有する透明性導電膜と、前記透明性導電膜上の反射性導電膜とを有し、
前記透明性導電膜は、前記基板上に非晶質の透明性導電膜を形成し、前記非晶質の透明性導電膜中に結晶質部分を形成し、前記結晶質部分を含む透明性導電膜の非晶質部分を除去することによって形成されたものであることを特徴とする液晶表示装置。
【請求項２】
基板上の凹凸形状を有する透明性導電膜と、前記透明性導電膜上の反射性導電膜とを有し、
前記透明性導電膜は、前記基板上に非晶質の透明性導電膜を形成し、前記非晶質の透明性導電膜を焼成して結晶質部分を含む透明性導電膜を形成し、前記結晶質部分を含む透明性導電膜の表面を研磨し、前記結晶質部分を含む透明性導電膜を酸性の薬液でエッチングすることによって形成されたものであることを特徴とする液晶表示装置。
【請求項３】
第１の透明性導電膜および反射性導電膜を有する第１の基板と、第２の透明性導電膜を有する第２の基板と、液晶とを有し、
前記第１の透明性導電膜は、前記第１の基板上に非晶質の透明性導電膜を形成し、前記非晶質の透明性導電膜中に結晶質部分を形成し、前記結晶質部分を含む透明性導電膜の非晶質部分を除去して形成された前記結晶質部分を含む凹凸形状を有する透明性導電膜であり、
前記反射性導電膜は、前記凹凸形状を有する透明性導電膜上に形成され、
前記第１の基板において前記第１の透明性導電膜及び前記反射性導電膜を有する面と前記第２の基板において前記第２の透明性導電膜を有する面とが互いに向き合って配置され、かつ前記第１の基板と前記第２の基板の間に前記液晶が挟まれていることを特徴とする液晶表示装置。
【請求項４】
第１の透明性導電膜および反射性導電膜を有する第１の基板と、第２の透明性導電膜を有する第２の基板と、液晶とを有し、
前記第１の透明性導電膜は、前記第１の基板上に非晶質の透明性導電膜を形成し、前記非晶質の透明性導電膜を焼成して結晶質部分を含む透明性導電膜を形成し、前記結晶質部分を含む透明性導電膜の表面を研磨し、前記結晶質部分を含む透明性導電膜を酸性の薬液でエッチングすることにより形成された前記結晶質部分を含む凹凸形状を有する透明性導電膜であり、
前記反射性導電膜は、前記凹凸形状を有する透明性導電膜上に形成され、
前記第１の基板において前記第１の透明性導電膜及び前記反射性導電膜を有する面と前記第２の基板において前記第２の透明性導電膜を有する面とが互いに向き合って配置され、かつ前記第１の基板と前記第２の基板の間に前記液晶が挟まれていることを特徴とする液晶表示装置。
【請求項５】
請求項１乃至請求項４のいずれか一項において、前記第１の基板上に薄膜トランジスタを有し、前記透明性導電膜および前記反射性導電膜は、絶縁膜を介して前記薄膜トランジスタと電気的に接続されることを特徴とする液晶表示装置。
【請求項６】
請求項１乃至請求項５のいずれか一において、前記反射性導電膜が占める面積の割合は、前記透明性導電膜が占める面積の５０〜９０％であることを特徴とする液晶表示装置。
【請求項７】
基板上に非晶質の透明性導電膜を形成し、
前記非晶質の透明性導電膜中に結晶質部分を形成し、
前記結晶質部分を含む透明性導電膜の非晶質部分を除去して前記結晶質部分を含む凹凸形状を有する透明性導電膜を形成し、
前記凹凸形状を有する透明性導電膜上に反射性導電膜を形成することを特徴とする液晶表示装置の作製方法。
【請求項８】
基板上に薄膜トランジスタ及び前記薄膜トランジスタに接続する非晶質の透明性導電膜を形成し、
前記非晶質の透明性導電膜中に結晶質部分を形成し、
前結晶質部分を含む透明性導電膜の非晶質部分を除去して前記結晶質部分を含む凹凸形状を有する透明性導電膜を形成し、
記凹凸形状を有する透明性導電膜上に反射性導電膜を形成することを特徴とする液晶表示装置の作製方法。
【請求項９】
請求項７又は請求項８において、前記結晶質部分を含む透明性導電膜の表面を研磨し、前記結晶質部分を含む透明性導電膜の非晶質部分を酸性の薬液を用いて除去することを特徴とする液晶表示装置の作製方法。
【請求項１０】
基板上に非晶質の透明性導電膜を形成し、前記非晶質の透明性導電膜を焼成して結晶質部分を含む透明性導電膜を形成し、前記結晶質部分を含む透明性導電膜を酸性の薬液でエッチングすることにより凹凸形状を有する透明性導電膜を形成し、
前記凹凸形状を有する透明性導電膜上に反射性導電膜を形成することを特徴とする液晶表示装置の作製方法。
【請求項１１】
基板上に薄膜トランジスタ及び前記薄膜トランジスタに接続する非晶質の透明性導電膜を形成し、
前記非晶質の透明性導電膜を焼成して結晶質部分を含む透明性導電膜を形成し、前記結晶質部分を含む透明性導電膜を酸性の薬液でエッチングすることにより凹凸形状を有する透明性導電膜を形成し、
前記凹凸形状を有する透明性導電膜上に反射性導電膜を形成することを特徴とする液晶表示装置の作製方法。
【請求項１２】
請求項１０又は請求項１１において、前記結晶質非晶質部分を含む透明性導電膜の表面を研磨し、前記結晶質部分を含む透明性導電膜を前記酸性の薬液でエッチングすることを特徴とする液晶表示装置の作製方法。
【請求項１３】
請求項９乃至請求項１２のいずれか一において、前記酸性の薬液は、フッ酸、硝酸、硫酸、塩酸から選ばれた一種もしくは複数種であることを特徴とする液晶表示装置の作製方法。
【請求項１４】
請求項７乃至請求項１３のいずれか一において、前記非晶質の透明性導電膜を１５０〜２００℃で焼成することを特徴とする液晶表示装置の作製方法。
【手続補正書】
【提出日】平成17年2月22日(2005.2.22)
【手続補正１】
【補正対象書類名】明細書
【補正対象項目名】特許請求の範囲
【補正方法】変更
【補正の内容】
【特許請求の範囲】
【請求項１】
導光板の端面に隣接して一次光源が配置され且つ前記導光板の一方の主面に光出射面が形成されたエッジライト型のバックライト部と、該バックライト部に取り付けられた液晶パネル部とを備えており、
該液晶パネル部は、透過型液晶表示素子を有し、該透過型液晶表示素子が前記光出射面を覆うように配置される第１位置と前記透過型液晶表示素子が前記光出射面から離隔して配置される第２位置との間で移動可能で且つ前記バックライト部からの脱離を阻止されて該バックライト部に取り付けられていることを特徴とする背面照明及び透過型表示のための装置。
【請求項２】
前記バックライト部は前記光出射面上に配置される光透過性画像担持体を係止するための係止部材を備えていることを特徴とする、請求項１に記載の背面照明及び透過型表示のための装置。
【請求項３】
前記液晶パネル部は、前記第１位置において前記透過型液晶表示素子と前記光出射面との間に位置する透過光量調節板を備えていることを特徴とする、請求項１または２に記載の背面照明及び透過型表示のための装置。
【請求項４】
前記透過型液晶表示素子へと表示画像信号を供給する画像信号供給部を備えていることを特徴とする、請求項１〜３のいずれかに記載の背面照明及び透過型表示のための装置。
【請求項５】
撮像部を備えており、前記画像信号供給部は前記撮像部から出力される撮像信号に基づき前記表示画像信号を作成することを特徴とする、請求項４に記載の背面照明及び表示のための装置。
【手続補正書】
【提出日】平成17年2月28日(2005.2.28)
【手続補正１】
【補正対象書類名】明細書
【補正対象項目名】特許請求の範囲
【補正方法】変更
【補正の内容】
【特許請求の範囲】
【請求項１】
絶縁表面上に形成された反射性導電膜からなる複数の島状のパターンと、
前記複数の島状のパターン上に形成されたカラーフィルターと、
前記カラーフィルター上に形成された透明性導電膜と、を有することを特徴とする液晶表示装置。
【請求項２】
基板上に形成された薄膜トランジスタと、
前記薄膜トランジスタ上に絶縁膜を介して形成された反射性導電膜からなる配線および複数の島状のパターンと、
前記複数の島状のパターン上に形成されたカラーフィルターと、
前記カラーフィルター上に形成された透明性導電膜と、を有し、
前記配線は、前記薄膜トランジスタおよび前記透明性導電膜を電気的に接続することを特徴とする液晶表示装置。
【請求項３】
請求項１または請求項２において、
前記複数の島状のパターンが占める面積の割合は、前記透明性導電膜が占める面積の５０〜９０％であることを特徴とする液晶表示装置。
【請求項４】
請求項１乃至請求項３のいずれか一において、
前記透明性導電膜は画素電極であることを特徴とする液晶表示装置。
【請求項５】
絶縁表面上に形成された反射性導電膜からなる配線および複数の島状のパターンと、
前記複数の島状のパターン上に形成されたカラーフィルターと、
前記カラーフィルター上に形成された第１の透明性導電膜とを有する第１の基板と、
第２の透明性導電膜を有する第２の基板と、
液晶とを有し、
前記第１の透明性導電膜および前記配線は、電気的に接続され、
前記第１の基板の前記第１の透明性導電膜と、前記第２の基板の前記第２の透明性導電膜と、が互いに向き合って配置され、
前記第１の基板と、前記第２の基板と、の間に前記液晶が挟まれていることを特徴とする液晶表示装置。
【請求項６】
基板上に形成された薄膜トランジスタと、
前記薄膜トランジスタ上に絶縁膜を介して形成された反射性導電膜からなる配線および複数の島状のパターンと、
前記複数の島状のパターン上に形成されたカラーフィルターと、
前記カラーフィルター上に形成された第１の透明性導電膜とを有する第１の基板と、
第２の透明性導電膜を有する第２の基板と、
液晶とを有し、
前記配線は、前記薄膜トランジスタと、前記第１の透明性導電膜とを電気的に接続し、
前記第１の基板の前記第１の透明性導電膜と、前記第２の基板の前記第２の透明性導電膜と、が互いに向き合って配置され、
前記第１の基板と、前記第２の基板と、の間に前記液晶が挟まれていることを特徴とする液晶表示装置。
【請求項７】
請求項５または請求項６において、
前記複数の島状のパターンが占める面積の割合は、前記第１の透明性導電膜が占める面積の５０〜９０％であることを特徴とする液晶表示装置。
【請求項８】
請求項５乃至請求項７のいずれか一において、
前記第１の透明性導電膜は画素電極であることを特徴とする液晶表示装置。
【請求項９】
請求項１乃至請求項８のいずれか一において、
前記複数の島状のパターンは、各パターン端部のテーパー角が５〜６０°であることを特徴とする液晶表示装置。
【請求項１０】
請求項１乃至請求項９のいずれか一において、
前記複数の島状のパターンは不規則に配置されていることを特徴とする液晶表示装置。
【請求項１１】
請求項１乃至請求項１０のいずれか一において、
前記液晶表示装置は、デジタルスチルカメラ、ノート型パーソナルコンピュータ、モバイルコンピュータ、記録媒体を備えた携帯型の画像再生装置、ビデオカメラ、携帯電話から選ばれた一種であることを特徴とする液晶表示装置。
【手続補正書】
【提出日】平成17年2月8日(2005.2.8)
【手続補正１】
【補正対象書類名】明細書
【補正対象項目名】００３６
【補正方法】変更
【補正の内容】
【００３６】
【発明の効果】本発明の光散乱型液晶表示素子は、片面に透明電極層を有する透明基板１の波長４３０〜７００ｎｍにおける光透過率を、５５０ｎｍにおける光透過率を１００％とした場合、９４〜１０４％とすることで、目視検査により着色の有無を検査した結果、着色は認められなかった。
【手続補正書】
【提出日】平成16年12月21日(2004.12.21)
【手続補正１】
【補正対象書類名】明細書
【補正対象項目名】特許請求の範囲
【補正方法】変更
【補正の内容】
【特許請求の範囲】
【請求項１】
相互に対向して配置された第１の基板及び第２の基板と、
前記第１の基板及び第２の基板の間に封入された負の誘電率異方性を有する液晶と、
前記第１の基板の前記液晶側の面に形成された第１の電極と、
前記第２の基板の前記液晶側の面に形成された第２の電極と、
前記第１の基板の前記液晶側の面と反対側の面に配置された第１の偏光板と、
前記第２の基板の前記液晶側の面と反対側の面に配置された第２の偏光板とを有し、
前記液晶にはカイラル剤が添加されており、
前記第１の基板及び前記第２の基板の少なくとも一方には液晶分子を複数の方向に配向させるドメイン規制部が設けられ、
前記液晶の屈折率異方性をΔｎ、セルギャップをｄ（ｎｍ）、前記カイラル剤のヘリカルピッチをｐ（ｎｍ）としたときに、下記式を満足することを特徴とする液晶表示装置。
４５９×ｄ／ｐ＋２９０≦Δｎｄ≦４５９×ｄ／ｐ＋５９０
【請求項２】
前記第１の電極に表示電圧を供給する配線と、前記配線と前記第１の電極との間に設けられたスイッチング素子とを有することを特徴とする請求項１に記載の液晶表示装置。
【請求項３】
前記ドメイン規制部が、突起であることを特徴とする請求項１に記載の液晶表示装置。
【請求項４】
前記ドメイン規制部が、窪みであることを特徴とする請求項１に記載の液晶表示装置。
【請求項５】
前記第１の電極及び前記第２の電極の少なくとも一方に、前記ドメイン規制部として、開口部が設けられていることを特徴とする請求項１に記載の液晶表示装置。
【請求項６】
前記第１の電極は、相互に電気的に接続された複数の矩形の小電極により構成されていることを特徴とする請求項２に記載の液晶表示装置。
【請求項７】
前記ドメイン規制部は、前記小電極の中央部に対応する位置にそれぞれ形成されていることを特徴とする請求項６に記載の液晶表示装置。
【手続補正書】
【提出日】平成17年2月28日(2005.2.28)
【手続補正１】
【補正対象書類名】明細書
【補正対象項目名】特許請求の範囲
【補正方法】変更
【補正の内容】
【特許請求の範囲】
【請求項１】
絶縁表面上に形成された透明性導電膜と、
前記透明性導電膜上に形成された配線および反射性導電膜からなる複数の島状のパターンを有し、
前記透明性導電膜、前記配線、および前記複数の島状のパターンは電気的に接続されることを特徴とする液晶表示装置。
【請求項２】
絶縁表面上に形成された透明性導電膜と、
前記透明性導電膜上に同時に形成された配線および複数の島状のパターンとを有し、
前記配線および前記複数の島状のパターンは反射性導電膜からなり、
前記透明性導電膜、前記配線、および前記複数の島状のパターンは電気的に接続されることを特徴とする液晶表示装置。
【請求項３】
基板上に形成された薄膜トランジスタと、
前記薄膜トランジスタ上に絶縁膜を介して形成された透明性導電膜と、
前記透明性導電膜上に形成された配線および反射性導電膜からなる複数の島状のパターンとを有し、
前記透明性導電膜および前記複数の島状のパターンは電気的に接続され、
前記配線は、前記薄膜トランジスタおよび前記透明性導電膜を電気的に接続することを特徴とする液晶表示装置。
【請求項４】
基板上に形成された薄膜トランジスタと、
前記薄膜トランジスタ上に絶縁膜を介して形成された透明性導電膜と、
前記透明性導電膜上に同時に形成された配線および複数の島状のパターンとを有し、
前記配線および前記複数の島状のパターンは反射性導電膜からなり、
前記透明性導電膜および前記複数の島状のパターンは電気的に接続され、
前記配線は、前記薄膜トランジスタおよび前記透明性導電膜を電気的に接続することを特徴とする液晶表示装置。
【請求項５】
請求項１乃至請求項４のいずれか一において、
前記複数の島状のパターンが占める面積の割合は、前記透明性導電膜が占める面積の５０〜９０％であることを特徴とする液晶表示装置。
【請求項６】
請求項１乃至請求項５のいずれか一において、
前記透明性導電膜は画素電極であることを特徴とする液晶表示装置。
【請求項７】
第１の透明性導電膜、配線および複数の島状のパターンとを有する第１の基板と、第２の透明性導電膜を有する第２の基板と、液晶とを有し、
前記複数の島状のパターンは反射性導電膜からなり、
前記配線および前記複数の島状のパターンは、前記第１の透明性導電膜上に形成され、
前記第１の透明性導電膜、前記配線、および前記複数の島状のパターンは電気的に接続され、
前記第１の基板の前記第１の透明性導電膜と、前記第２の基板の前記第２の透明性導電膜と、が互いに向き合って配置され、
前記第１の基板と、前記第２の基板と、の間に前記液晶が挟まれていることを特徴とする液晶表示装置。
【請求項８】
第１の透明性導電膜、配線および複数の島状のパターンとを有する第１の基板と、第２の透明性導電膜を有する第２の基板と、液晶とを有し、
前記配線および前記複数の島状のパターンは反射性導電膜からなり、
前記配線および前記複数の島状のパターンは、前記第１の透明性導電膜上に同時に形成され、
前記第１の透明性導電膜、前記配線、および前記複数の島状のパターンは電気的に接続され、
前記第１の基板の前記第１の透明性導電膜と、前記第２の基板の前記第２の透明性導電膜と、が互いに向き合って配置され、
前記第１の基板と、前記第２の基板と、の間に前記液晶が挟まれていることを特徴とする液晶表示装置。
【請求項９】
薄膜トランジスタ、第１の透明性導電膜、配線および複数の島状のパターンとを有する第１の基板と、第２の透明性導電膜を有する第２の基板と、液晶とを有し、
前記複数の島状のパターンは反射性導電膜からなり、
前記配線および前記複数の島状のパターンは、前記第１の透明性導電膜上に形成され、
前記第１の透明性導電膜および前記複数の島状のパターンは電気的に接続され、
前記配線は、前記薄膜トランジスタと、前記第１の透明性導電膜とを電気的に接続し、
前記第１の基板の前記第１の透明性導電膜と、前記第２の基板の前記第２の透明性導電膜と、が互いに向き合って配置され、
前記第１の基板と、前記第２の基板と、の間に前記液晶が挟まれていることを特徴とする液晶表示装置。
【請求項１０】
薄膜トランジスタ、第１の透明性導電膜、配線および複数の島状のパターンとを有する第１の基板と、第２の透明性導電膜を有する第２の基板と、液晶とを有し、
前記配線および前記複数の島状のパターンは、前記第１の透明性導電膜上に同時に形成され、
前記配線および前記複数の島状のパターンは反射性導電膜からなり、
前記第１の透明性導電膜および前記複数の島状のパターンは電気的に接続され、
前記配線は、前記薄膜トランジスタと、前記第１の透明性導電膜とを電気的に接続し、
前記第１の基板の前記第１の透明性導電膜と、前記第２の基板の前記第２の透明性導電膜と、が互いに向き合って配置され、
前記第１の基板と、前記第２の基板と、の間に前記液晶が挟まれていることを特徴とする液晶表示装置。
【請求項１１】
請求項７乃至請求項１０のいずれか一において、
前記複数の島状のパターンが占める面積の割合は、前記第１の透明性導電膜が占める面積の５０〜９０％であることを特徴とする液晶表示装置。
【請求項１２】
請求項７乃至請求項１１のいずれか一において、
前記第１の透明性導電膜は画素電極であることを特徴とする液晶表示装置。
【請求項１３】
請求項１乃至請求項１２のいずれか一において、
前記複数の島状のパターンは、各パターン端部のテーパー角が５〜６０°であることを特徴とする液晶表示装置。
【請求項１４】
絶縁表面上に形成された配線および反射性導電膜からなる複数の島状のパターンと、
前記配線および前記複数の島状のパターン上に形成された透明性導電膜とを有し、
前記透明性導電膜、前記配線、および前記複数の島状のパターンは電気的に接続されることを特徴とする液晶表示装置。
【請求項１５】
請求項１乃至請求項１４のいずれか一において、
前記複数の島状のパターンは不規則に配置されていることを特徴とする液晶表示装置。【請求項１６】
請求項１乃至請求項１５のいずれか一において、
前記液晶表示装置は、デジタルスチルカメラ、ノート型パーソナルコンピュータ、モバイルコンピュータ、記録媒体を備えた携帯型の画像再生装置、ビデオカメラ、携帯電話から選ばれた一種であることを特徴とする液晶表示装置。
【手続補正書】
【提出日】平成17年2月21日(2005.2.21)
【手続補正１】
【補正対象書類名】明細書
【補正対象項目名】特許請求の範囲
【補正方法】変更
【補正の内容】
【特許請求の範囲】
【請求項１】
陽極と陰極との間に発光層を有するＥＬ素子と、該ＥＬ素子を駆動する薄膜トランジスタとを備えたアクティブ型のカラーＥＬ表示装置において、前記発光層にＲＧＢ毎に異なる発光材料を使用し、ＲＧＢ毎の前記発光層にそれぞれの輝度特性に合わせたＲＧＢ別ガンマ補正回路を設けてＲＧＢの色バランスを揃えることを特徴とするカラー有機ＥＬ表示装置。
【請求項２】
前記ガンマ補正回路はＤＡＣで構成され、前記ＤＡＣの基準電圧をＲＧＢ毎に調整することを特徴とする請求項１に記載のカラー有機ＥＬ表示装置。
【請求項３】
陽極と陰極との間に発光層を有するＥＬ素子と、該ＥＬ素子を駆動する薄膜トランジスタとを備えたアクティブ型のカラーＥＬ表示装置において、前記発光層にＲＧＢ毎に異なる発光材料を使用し、ＲＧＢ毎の前記発光層にそれぞれの輝度特性に合わせたＲＧＢ別ガンマ補正回路を設け、表示時間の積算に対応するＲＧＢ毎の前記発光層の輝度特性の出力補正データを予めメモリに設定し、前記出力補正データにより前記ＲＧＢ別ガンマ補正回路を調整してＲＧＢの色バランスを揃えることを特徴とするカラー有機ＥＬ表示装置。
【請求項４】
前記ガンマ補正回路はＤＡＣで構成され、前記ＤＡＣの基準電圧をＲＧＢ毎に前記出力補正データで調整することを特徴とする請求項３に記載のカラー有機ＥＬ表示装置。
【手続補正２】
【補正対象書類名】明細書
【補正対象項目名】００１３
【補正方法】変更
【補正の内容】
【００１３】
【課題を解決するための手段】
本発明は上記課題を解決するためになされたものであり、本発明では発光層にＲＧＢ毎に異なる発光材料を使用し、ＲＧＢ毎の前記発光層にそれぞれの輝度特性に合わせたＲＧＢ別ガンマ補正回路を設けてＲＧＢの色バランスを揃えることを特徴とする。これによりＲＧＢの発光材料別の輝度特性に合わせたガンマ補正回路により色バランスの良いカラー有機ＥＬ表示装置を実現できる。
【手続補正書】
【提出日】平成16年11月10日(2004.11.10)
【手続補正１】
【補正対象書類名】明細書
【補正対象項目名】０００７
【補正方法】変更
【補正の内容】
【０００７】
【発明が解決しようとする課題】
しかしながら、上述したカバーウインドウの製造工程によれば、多色刷りの装飾部１０３を形成する場合は、スクリーン印刷を複数回行うので、スクリーン印刷、その後の乾燥の工程が複数回繰り返されることから、生産性が悪く、生産コストが高いという問題がある。また、スクリーン印刷不良が発生すると、カバーウインドウ基材１０１を廃棄しなければならず、生産コストの上昇を招くという問題がある。
【手続補正書】
【提出日】平成16年9月29日(2004.9.29)
【手続補正１】
【補正対象書類名】明細書
【補正対象項目名】特許請求の範囲
【補正方法】変更
【補正の内容】
【特許請求の範囲】
【請求項１】
少なくとも第１のファラデー回転子と、第１、第２の偏光子とを有した複合素子および磁石を基板上に搭載して整列固定した光アイソレータにおいて、前記磁石または複合素子の基板上に接する面には、面取り部が形成されていることを特徴とする光アイソレータ。
【請求項２】
少なくとも第１のファラデー回転子と、第１、第２の偏光子とを有した複合素子および磁石を基板上に搭載して整列固定した光アイソレータにおいて、前記複合素子の底面は、基板から離間して固定されていることを特徴とする光アイソレータ。
【請求項３】
少なくとも第１のファラデー回転子と、第１、第２の偏光子とを有した複合素子および磁石を基板上に搭載して整列固定した光アイソレータにおいて、前記複合素子と磁石とが当接する部分の基板上に、溝が形成されていることを特徴とする光アイソレータ。
【手続補正書】
【提出日】平成16年9月7日(2004.9.7)
【手続補正１】
【補正対象書類名】明細書
【補正対象項目名】特許請求の範囲
【補正方法】変更
【補正の内容】
【特許請求の範囲】
【請求項１】
反射面の角度を変えて入射光をスイッチングする複数の光スイッチング素子が少なくとも１行または１列をなすように配置されたマトリクス部を備えた光スイッチングデバイスであって、
前記マトリクス部の行方向および／または列方向の配列を規定するように並んだ前記反射面の辺が前記行方向および／または列方向に対し非平行である光スイッチングデバイス。
【請求項２】
請求項１において、前記光スイッチング素子は、前記反射面を前記列方向または行方向に駆動する光スイッチングデバイス。
【請求項３】
請求項１において、前記行および／または列方向の配列を規定する前記反射面の辺は、前記行および／または列に対し傾斜している光スイッチングデバイス。
【請求項４】
請求項１において、前記行および／または列方向の配列を規定する前記反射面の辺は、曲線である光スイッチングデバイス。
【請求項５】
請求項１において、前記反射面の辺のうち、対峙する辺は補完する形状である光スイッチングデバイス。
【請求項６】
請求項１において、前記反射面は、前記行方向および／または列方向に半ピッチずれて配置されている光スイッチングデバイス。
【請求項７】
反射面の角度を変えて入射光をスイッチングする複数の光スイッチング素子が少なくとも１行または１列をなすように配置されたマトリクス部を備えた光スイッチングデバイスであって、
前記光スイッチング素子は前記反射面を列方向または行方向に駆動し、
前記反射面の前記列方向または行方向に対峙する辺が、前記列方向または行方向に非直交である光スイッチングデバイス。
【請求項８】
請求項７において、前記対峙する辺は、前記列方向または行方向に直交する方向に対し傾斜している光スイッチングデバイス。
【請求項９】
請求項７において、前記対峙する辺は曲線である光スイッチングデバイス。
【請求項１０】
請求項７において、前記対峙する辺は補完する形状である光スイッチングデバイス。
【請求項１１】
請求項１または７に記載の光スイッチングデバイスと、この光スイッチングデバイスの前記マトリクス部に対し、その前記行方向または列方向から入射光を照射する光源装置と、
前記光スイッチングデバイスの前記マトリクス部の前記行方向または列方向に反射された変調光を投射するレンズシステムとを有する画像表示装置。
【請求項１２】
請求項１１に記載の画像表示装置と、前記レンズシステムから出力される光を表示するスクリーンとを有するプロジェクタ型表示装置。
【請求項１３】
反射面の角度を変えて入射光をスイッチングする光スイッチング素子であって、
前記反射面は、前記反射面を駆動する第１の方向に対峙した第１組の辺と、
前記第１の方向と直交する方向に対峙した第２組の辺とを有し、
前記第１組の辺は前記第１の方向に対し非直交で、相互に補完する形状であり、
前記第２組の辺は、相互に補完する形状である光スイッチング素子。
【請求項１４】
請求項１３において、前記第１組の辺は、前記第１の方向に直交する方向に対し傾斜している光スイッチング素子。
【請求項１５】
請求項１３において、前記第１組の辺は、曲線である光スイッチング素子。
【手続補正書】
【提出日】平成17年2月25日(2005.2.25)
【手続補正１】
【補正対象書類名】明細書
【補正対象項目名】特許請求の範囲
【補正方法】変更
【補正の内容】
【特許請求の範囲】
【請求項１】
上基板を保持する上ステージと、下基板を保持する下ステージと、上ステージと下ステージが配置される密閉空間を区画形成する密閉容器と、密閉容器内の圧力を調整する圧力調整装置とを有し、圧力調整装置による密閉容器内の圧力の減圧下にて上基板と下基板とを接着剤を介して貼り合わせる基板貼り合わせ装置であって、
上ステージと下ステージとを少なくとも基板の面方向で相対移動させる移動装置を有し、
移動装置が、密閉容器とは独立に架台に支持される基板貼り合わせ装置。
【請求項２】
移動装置と上下のステージの少なくとも一方のステージとを結合部材により結合し、移動装置と密閉容器とを結合部材の周囲で可撓隔壁部材により連結し、密閉容器及び可撓隔壁部材が区画形成する密閉空間に上下のステージと結合部材とを配置する請求項１に記載の基板貼り合わせ装置。
【請求項３】
移動装置と上下のステージの少なくとも一方のステージとを結合部材により結合し、密閉容器と上記の少なくとも一方のステージとを結合部材の周囲で可撓隔壁部材により連結し、密閉容器及び可撓隔壁部材が区画形成する密閉空間に上下のステージを配置する請求項１に記載の基板貼り合わせ装置。
【請求項４】
移動装置と下ステージとを結合部材により結合し、さらに、上ステージに他の結合部材により結合されてなり上ステージを昇降させる昇降装置と、昇降装置と密閉容器とを結合部材の周囲で連結する他の可撓隔壁部材と、を有することを特徴とする請求項２または３に記載の基板貼り合わせ装置。
【請求項５】
密閉容器を上チャンバと下チャンバとを有して構成し、さらに、上チャンバを昇降させるチャンバ昇降シリンダを有することを特徴とする請求項４に記載の基板貼り合わせ装置。
【請求項６】
昇降可能な昇降フレームを有し、上記昇降装置およびチャンバ昇降シリンダは上記昇降フレームに支持されてなることを特徴とする請求項５に記載の基板貼り合わせ装置。
【手続補正２】
【補正対象書類名】明細書
【補正対象項目名】０００９
【補正方法】変更
【補正の内容】
【０００９】
請求項３の発明は、請求項１の発明において更に、移動装置と上下のステージの少なくとも一方のステージとを結合部材により結合し、密閉容器と上記の少なくとも一方のステージとを結合部材の周囲で可撓隔壁部材により連結し、密閉容器及び可撓隔壁部材が区画形成する密閉空間に上下のステージを配置するようにしたものである。
請求項４の発明は、請求項１の発明において更に、移動装置と下ステージとを結合部材により結合し、さらに、上ステージに他の結合部材により結合されてなり上ステージを昇降させる昇降装置と、昇降装置と密閉容器とを結合部材の周囲で連結する他の可撓隔壁部材と、を有するようにしたものである。
請求項５の発明は、請求項１の発明において更に、密閉容器を上チャンバと下チャンバとを有して構成し、さらに、上チャンバを昇降させるチャンバ昇降シリンダを有するようにしたものである。
請求項６の発明は、請求項１の発明において更に、昇降可能な昇降フレームを有し、上記昇降装置およびチャンバ昇降シリンダは上記昇降フレームに支持されてなるようにしたものである。